(57)【要約】  熱の放散を維持しつつ雨雪の浸入を低減することが可能な自動販売機を提供するため、本体キャビネット１の機械室３に冷凍機のコンデンシングユニット４が配設され、本体キャビネット１の背面における機械室３に対応する部位に排気口５０が形成され、この排気口５０を閉塞する態様で排気用穴５１，６１を有する排気口カバー５，６を設けてなる自動販売機であって、排気口カバー５，６を少なくとも２組設け、２組の排気口カバー５，６を前後となる態様で互いに離隔して配設し、機械室３内部の熱は排気用穴５１，６１を介して放散する一方、排気口カバー５の排気用穴５１から浸入した雨雪は排気口カバー６で阻止する。
2020105356.tif 000002
【特許請求の範囲】
【請求項１】
本体キャビネットの機械室に冷凍機のコンデンシングユニットが配設され、前記本体キャビネットの背面における前記機械室に対応する部位に排気口が形成され、板状の板面に複数の排気用穴を有する排気口カバーを前記排気口に設けてなる自動販売機において、前記排気口カバーを少なくとも２組設け、２組の排気口カバーを前後となる態様で互いに離隔して配設してなることを特徴とする自動販売機。
【請求項２】
請求項１に記載の自動販売機において、前記排気口カバーに設けた複数の排気用穴に排気用フードが設けられていることを特徴とする自動販売機。
【請求項３】
請求項２に記載の自動販売機において、機外に露出する一方の排気口カバーに設けた複数の排気用穴の排気用フードは下向きの開口部を有する一方、他方の排気口カバーに設けた複数の排気用穴の排気用フードは上向きの開口部を有することを特徴とする自動販売機。
【請求項４】
請求項３に記載の自動販売機において、前後の排気口カバーに設けた複数の排気用穴は前後方向に一部重畳する態様で互いの位置をずらして形成されていることを特徴とする自動販売機。
【請求項５】
請求項１に記載の自動販売機において、外側の排気口カバーに設けた複数の排気用穴は排気用フードのない長穴であり、前後の排気口カバーに設けた複数の排気用穴は前後方向に重畳することなく互いの位置をずらして形成されていることを特徴とする自動販売機。
【発明の詳細な説明】
【技術分野】
【０００１】
本発明は、冷凍機のコンデンシングユニットを搭載した自動販売機に係り、冷凍機のコンデンシングユニットの排熱用として自動販売機の背面に形成した排気口を塞ぐ排気口カバーを備えた自動販売機に関するものである。
【背景技術】
【０００２】
冷凍機のコンデンシングユニットを搭載した自動販売機は前面が開口した本体キャビネットと、この本体キャビネットの前面開口を閉塞する開閉自在な前面扉とを備えて構成される。前記本体キャビネットは鋼板製の外箱を構成する上板、左右側板、背板の内側及び底壁にウレタンフォームからなる断熱材を配設して商品収納庫を形成する断熱筐体として構成されている。前記本体キャビネットの断熱材で囲まれた商品収納庫内には商品を収納する商品収納ラックが配設され、商品収納ラックの下部には蒸発器、庫内ファン、ヒータなどからなり、商品収納ラックに収納した商品を冷却若しくは加熱してコールド若しくはホット状態に保存する冷却／加熱ユニットが配設されている。【０００３】
本体キャビネットの商品収納庫を形成する底壁の下部は機械室として形成されている。この機械室には前記冷却／加熱ユニットの蒸発器と冷凍サイクルを形成する冷凍機のコンデンシングユニットが配設されている。冷凍機のコンデンシングユニットは、圧縮機、アルミ製のフィンチューブ形凝縮器、庫外ファン、膨張弁などからなり、商品収納庫外に配された凝縮器と商品収納庫内に配された蒸発器とが膨張弁を介して冷媒配管により接続されている。【０００４】
冷凍機の運転時に圧縮機、凝縮器から発生する熱は、庫外ファンの運転により前面扉の下縁部近傍に設けた吸気口を介して吸い込んだ空気を機械室内に通風し、圧縮機、凝縮器を冷却したうえで排熱用として自動販売機の背板に形成した排気口から放散するようにしている。前記排気口は、矩形状の開口として形成され、圧縮機、凝縮器から発生する熱を放散、及び外部からの害虫、齧歯目の哺乳類等の侵入を阻止する排気口カバーが設けられている。排気口カバーは、複数の線材を格子状に組んだうえでスポット溶接すると共にメッキ処理して排気口に対応する大きさに形成され、排気口を覆うように背板の排気口縁部にねじ止めされている。【０００５】
複数の線材を格子状に組んだ排気口カバーにおいては、害虫、齧歯目の哺乳類等の侵入を阻止することができる一方、雨雪の浸入を阻止することはできない。雨雪が自動販売機の機械室内に浸入して冷凍機のコンデンシングユニットの圧縮機等に付着した場合、冷凍機のコンデンシングユニットの機能を低下させるおそれがあると共に機械室内に設置された電装部品に付着した場合には漏電する虞がある。このような問題を解決するために図９に示すような特許文献１に開示された発明が知られている。【０００６】
図９は、特許文献１に開示された従来装置の自動販売機を示し（ａ）は自動販売機の本体キャビネットの背面図、（ｂ）は排気用フードの斜視図、（ｃ）は排気用フードの断面図である。図９（ａ）に示すように、本体キャビネット１００の背板１０１の機械室１０３に面する部位には矩形の排気口１０４が設けられており、この排気口１０４には板状の排気口カバー１０５が背板１０１の排気口１０４の縁部にねじ止めされる態様で着脱自在に設けられている。【０００７】
排気口カバー１０５の板面には複数の排気用穴１０６（図９の（ｃ）参照）が形成され、これらの排気用穴１０６に下向き開口部を有する排気用フード１０７が設けられている。この排気用フード１０７は、換気扇の室外フードに類し、排気用穴１０６の上方及び前方を覆う庇部と排気用穴１０６の左右側方を覆う側面部とからなり、庇部と左右側面部とにより、下向きの開口部が形成されているものである。排気用フード１０７は板状の排気口カバー１０５において排気用穴１０６の下縁に対応する箇所に切れ目を入れたうえでプレス加工することにより形成される。排気用穴１０６は、板状の排気口カバー１０５に排気用フード１０７をプレス加工する結果として形成され、排気用フード１０７により上部及び前面と左右側面部が遮蔽されている。このように排気用穴１０６に排気用フード１０７を設けることにより、機械室内に設置された圧縮機、凝縮器から発生した熱を排気用穴１０６から排気用フード１０７の下向き開口部を介して放散できると共に雨雪等が機械室内へ浸入するのを防ぐように構成されている。
【先行技術文献】
【特許文献】
【０００８】
【特許文献１】特開２００１−３４８２５号公報
【発明の概要】
【発明が解決しようとする課題】
【０００９】
かかる特許文献１に開示された発明によれば、排気用穴１０６に排気用フード１０７を設けることにより、機械室内に設置された圧縮機、凝縮器から発生した熱を排気用穴１０６から排気用フード１０７の下向き開口部を介して放散しつつ上方ないし横方（水平方向）からの雨雪等が機械室内へ浸入するのを抑制することができる点で優れている。しかしながら、暴風により舞い上がった雨雪、または豪雨により自動販売機の設置面から跳ね返った雨粒が排気用フード１０７の下向きの開口部から浸入し、それが機械室内に設置された冷凍機のコンデンシングユニットの機器及び電装部品に直接降り注ぐように機械室の内部まで飛翔（図９の（ｃ）の矢印参照）することは否めないという課題を有する。【００１０】
本発明は上記の点に鑑みなされたものであり、その目的は前記課題を解決し、熱の放散を維持しつつ雨雪の浸入を低減することが可能な自動販売機を提供することにある。
【課題を解決するための手段】
【００１１】
上記目的を達成するために請求項１にかかる発明は、本体キャビネットの機械室に冷凍機のコンデンシングユニットが配設され、前記本体キャビネットの背面における前記機械室に対応する部位に排気口が形成され、板状の板面に複数の排気用穴を有する排気口カバーを前記排気口に設けてなる自動販売機において、前記排気口カバーを少なくとも２組設け、２組の排気口カバーを前後となる態様で互いに離隔して配設してなることを特徴とする。【００１２】
また、請求項２にかかる発明は、請求項１に記載の自動販売機において、前記排気口カバーに設けた複数の排気用穴に排気用フードが設けられていることを特徴とする。【００１３】
また、請求項３に係る発明は、請求項２に記載の自動販売機において、機外に露出する一方の排気口カバーに設けた複数の排気用穴の排気用フードは下向きの開口部を有する一方、他方の排気口カバーに設けた複数の排気用穴の排気用フードは上向きの開口部を有することを特徴とする。【００１４】
また、請求項４にかかる発明は、請求項３に記載の自動販売機において、前後の排気口カバーに設けた複数の排気用穴は前後方向に一部重畳する態様で互いの位置をずらして形成されていることを特徴とする。【００１５】
また、請求項５に係る発明は、請求項１に記載の自動販売機において、外側の排気口カバーに設けた複数の排気用穴は排気用フードのない長穴であり、前後の排気口カバーに設けた複数の排気用穴は前後方向に重畳することなく互いの位置をずらして形成されていることを特徴とする。
【発明の効果】
【００１６】
本発明の請求項１に係る自動販売機によれば、本体キャビネットの機械室に冷凍機のコンデンシングユニットが配設され、本体キャビネットの背面における機械室に対応する部位に排気口が形成され、板状の板面に複数の排気用穴を有する排気口カバーを前記排気口に設けてなる自動販売機において、前記排気口カバーを少なくとも２組設け、２組の排気口カバーを前後となる態様で互いに離隔して配設してなることにより、冷凍機の運転時に圧縮機、凝縮器から発生する熱を、それぞれの排気口カバーに設けた排気用穴を介して外部に放散する一方、機外に露出する一方の排気口カバーの排気用穴から浸入した雨雪も他方の排気口カバーにより浸入が阻止されるので機械室内部への雨雪の浸入を低減させることができるという効果を有する。
【図面の簡単な説明】
【００１７】
【図１】図１は、本発明の実施の形態１の自動販売機を示し、（ａ）はその背面斜視図、（ｂ）は前後２組の排気口カバーを分解して示す排気口周辺の斜視図である。
【図２】図２は、図１の自動販売機の機械室周辺の側面断面図である。
【図３】図３は、図１の前後２組の排気口カバーを示し、（ａ）は前後２組の排気口カバーの分解斜視図、（ｂ）は排気用フードを下方から見た拡大斜視図である。
【図４】図４は、前後に重ね合わせた２組の排気口カバーを背面側から見た背面図である。
【図５】図５は、本体キャビネットに組付けた２組の排気口カバーを一部省略した側面断面図である。
【図６】図６は、本発明の実施の形態２の自動販売機の背面斜視図である。
【図７】図７は、図６の前後２組の排気口カバーを分解して示す排気口周辺の斜視図である。
【図８】図８は、前後に重ね合わせた２組の排気口カバーを背面側から見た背面図である。
【図９】図９は、従来装置の自動販売機を示し（ａ）はその背面図、（ｂ）は排気用フードの斜視図、（ｃ）は排気用フードの断面図である。
【発明を実施するための形態】
【００１８】
以下、本発明の実施の形態に係る自動販売機を図面に基づいて詳細に説明する。図１は本発明実施の形態１に係る自動販売機の一例である缶入り飲料、ペットボトル入り飲料を販売する自動販売機を示し、（ａ）はその背面斜視図、（ｂ）は前後２組の排気口カバーを分解して示す排気口周辺の斜視図である。図２は図１の自動販売機の機械室周辺の側面断面図である。図３は図１の前後２組の排気口カバーを示し、（ａ）は前後２組の排気口カバーの分解斜視図、（ｂ）は排気用フードを下方から見た拡大斜視図である。なお、以下の説明で「前後」及び「左右」とは、自動販売機の前面から見た場合の前後及び左右を指すものである。
【００１９】
図１に示すように、この自動販売機は、前面が開放した断熱筐体として形成された本体キャビネット１と、本体キャビネット１の前面開口を閉塞する態様で本体キャビネット１の前面に開閉可能に支持された前面扉２とを備えている。本体キャビネット１は鋼板製の外箱の内側、すなわち、上板１ａ、左右側板１ｂ、背板１ｃの内側及び底板１ｄ（図２参照）にウレタンフォームからなる断熱パネルを配設して断熱筐体として構築され、上板１ａ、左右側板１ｂ、背板１ｃの内側及び底板１ｄに配設された断熱パネルで囲まれた空間が商品収納庫として形成され、商品収納庫の下部が機械室３（図２も参照）として形成されている。前記本体キャビネット１の断熱パネルで囲まれた商品収納庫内には、缶入り飲料、ペットボトル入り飲料等の商品を収納した商品収納ラック（不図示）が収容設置されている。また、前記商品収納庫内に収容設置された商品収納ラックの下部には、商品収納ラックに収納した商品を冷却若しくは加熱してコールド若しくはホット状態に保存する冷却／加熱ユニット（不図示）が配備されている。
【００２０】
本体キャビネット１の商品収納庫の下部の機械室３には、商品収納庫に配備された冷却／加熱ユニットの蒸発器と冷凍サイクルを形成する冷凍機のコンデンシングユニット４（図２参照）が配設されている。冷凍機のコンデンシングユニット４は、圧縮機４ａ、凝縮器４ｂ、庫外ファン４ｃ、不図示の電磁弁及び膨張弁などからなり、商品収納庫外に配された凝縮器４ｂと商品収納庫内に配された蒸発器とが電磁弁及び膨張弁を介して冷媒配管により接続されている。
【００２１】
冷凍機のコンデンシングユニット４は自動販売機の底部となる基台１ｅの上に次のように設置されている。すなわち、基台１ｅの左右には平面視コ字形の補強部材１ｆ，１ｇが、それぞれの脚片１ｆ１，１ｇ１（図１では後方側の脚片１ｆ１，１ｇ１が見えている）が左右外方を向くと共に後方側の脚片１ｆ１，１ｇ１が機械室３の背面を閉塞し、かつ、補強部材１ｆ，１ｇの底面１ｆ２，１ｇ２（図１の（ｂ）参照。なお、図１の（ｂ）では補強部材１ｆの底面１ｆ２のみが見えている）が互いに離隔して対峙する態様で固着され、この補強部材１ｆ，１ｇの底面１ｆ２，１ｇ２と、基台１ｅと、底板１ｄで囲まれたトンネル状の空洞内に冷凍機のコンデンシングユニット４が配設されている。ここで、背板１ｃは、前記空洞の出口を塞ぐことのないように、基台１ｅの左右に補強部材１ｆ，１ｇの上端までの短いものとされている。そして、前記空洞の矩形の出口端が排気口５０として構成されている。なお、補強部材１ｆ，１ｇにおける後方側の脚片１ｆ１，１ｇ１の基端側にはねじ孔１ｆ０，１ｇ０が穿設されている。
【００２２】
前記排気口５０には、板状の排気口カバー５，６が前後となる態様で互いに離隔して配されている。排気口カバー５，６は矩形状の板金製になり、左右方向の幅が排気口５０の幅よりも大きく形成される一方、高さが排気口５０の高さと略同一に形成されている。排気口カバー５の板面には複数（上下方向に１３段で左右方向に５列）の排気用穴５１（図３の（ｂ）参照）が形成され、これらの排気用穴５１に排気用フード５２が設けられている。この排気用フード５２は、図３の（ｂ）に示すように、排気用穴５１の上方及び前方を覆う庇部５２ａと排気用穴５１の左右側方を覆う左右の側面部５２ｂ，５２ｂとを備え、庇部５２ａと左右の側面部５２ｂ，５２ｂにより下向きの開口部５２ｃが形成されている。排気用フード５２は板状の排気口カバー５に排気用穴５１の下縁に対応する箇所に切れ目を入れたうえでプレス加工することにより形成される。排気用穴５１は、板状の排気口カバー５に排気用フード５２をプレス加工する結果として形成され、排気用フード５２により上部及び前面と左右側面部が遮蔽されている。
【００２３】
また、排気口カバー５の下縁には、当該下縁から下方に突出する３個の係合爪５ａ，５ａ，５ａが形成されている。これらの係合爪５ａ，５ａ，５ａは、前記基台１ｅの上であって、排気口５０近傍位置に穿孔したスリット状の係合溝１ｅ０，１ｅ０，１ｅ０（図１の（ｂ）参照）に対応して形成されているものである。さらに、排気口カバー５の板面の左右両側の上部寄りにはねじ挿通孔５ｂ，５ｂが形成されている。
【００２４】
排気口カバー６の板面にも、排気口カバー５の排気用穴５１と同様の複数（上下方向に１３段で左右方向に４列）の排気用穴６１（図３の（ａ）参照）が形成され、これらの排気用穴６１にも排気用フード６２が設けられている。ここで、排気用フード６２は、排気用穴６１の下方及び前方を覆う庇部６２ａと排気用穴６１の左右側方を覆う左右の側面部６２ｂ，６２ｂとを備え、庇部６２ａと左右の側面部６２ｂ，６２ｂにより上向きの開口部６２ｃが形成されている。
【００２５】
また、排気口カバー６の左右両端には排気口カバー６の板面より一段高い段差を有する態様で外方に折り曲げて形成された取付片６３，６３が設けられている。これらの取付片６３，６３には、前記排気口カバー５の板面の左右両側の上部寄りに形成したねじ挿通孔５ｂ，５ｂと同様のねじ挿通孔６ｂ，６ｂが形成されている。
【００２６】
前記排気口カバー５，６の本体キャビネット１への組付けは、先ず、排気口カバー６を、本体キャビネット１の背面側から排気口カバー６における排気用フード６２付きの排気用穴６１が形成された板面を排気口５０を形成する空洞内に嵌め込み、排気口カバー６における左右の取付片６３，６３を補強部材１ｆ，１ｇの後方側の脚片１ｆ１，１ｇ１に当接させる態様で基台１ｅの上に載置する。この場合、排気口カバー６における左右の取付片６３，６３に形成したねじ挿通孔６ｂ，６ｂが補強部材１ｆ，１ｇの後方側の脚片１ｆ１，１ｇ１に穿設したねじ孔１ｆ０，１ｇ０に略対峙する。
【００２７】
次いで、排気口カバー５を、その下縁から下方に突出する係合爪５ａ，５ａ，５ａを基台１ｅに形成した係合溝１ｅ０，１ｅ０，１ｅ０に差し込んだうえで排気口カバー５の板面を排気口カバー６における左右の取付片６３，６３の上に重ね合わせる。この場合、この後、排気口カバー５の左右両側の上部寄りに形成したねじ挿通孔５ｂ，５ｂが排気口カバー６における左右の取付片６３，６３に形成したねじ挿通孔６ｂ，６ｂに略対峙するので、排気口カバー５のねじ挿通孔５ｂ，５ｂ及び排気口カバー６のねじ挿通孔６ｂ，６ｂを通してねじ（不図示）を補強部材１ｆ，１ｇの後方側の脚片１ｆ１，１ｇ１に穿設したねじ孔１ｆ０，１ｇ０にねじ込むことにより排気口カバー５，６が排気口５０を閉塞する態様で本体キャビネット１に組付けられる。
【００２８】
このように、排気口カバー５，６を本体キャビネット１に組付けた状態で、排気口カバー５，６に設けた排気用穴５１，６１は前後方向に一部重畳する態様で互いの位置がずれるように構成されている。すなわち、図４は前後に重ね合わせた排気口カバー５，６を背面側から見た背面図であり、この図４から排気口カバー５に設けた複数の排気用フード５２と排気口カバー６に設けた複数の排気用フード６２とが前後方向に一部重畳する態様で互いの位置がずれていることが理解できる。なお、図４では排気口カバー５，６に設けた排気用穴５１，６１は見えないものの、排気用穴５１，６１が排気用フード５２，排気用フード５２と一致する位置にあることは前述した説明から明らかである。
【００２９】
かかる構成の排気口カバー５，６の側面断面図を図５に示す。この図５から理解できるように、排気口カバー５，６は前後に互いに離隔するように配置されるものである。そして、冷凍機の運転時に圧縮機、凝縮器から発生する熱は、矢印Ａで示すように、排気口カバー６に設けた排気用穴６１を通過して排気用フード６２の開口部６２ｃから排気口カバー５に設けた排気用穴５１を通って排気用フード５２の開口部５２ｃから放散される。
【００３０】
その一方、図５における鉛直方向の線分Ｙと水平方向の線分Ｘの間の角度の範囲内で降り注ぐ雨雪等は排気口カバー５に設けた排気用フード５２により機械室３内部への浸入が阻止される。また、矢印Ｂに示すように、暴風により舞い上がった雨雪、または豪雨により自動販売機の設置面から跳ね返った雨粒が排気口カバー５の排気用フード５２の開口部５２ｃを通過することがある。しかしながら、排気用フード５２の開口部５２ｃを介して排気用穴５１を通過した矢印Ｂ方向の雨雪は排気口カバー６に設けた排気用フード６２により機械室３内部への浸入が阻止される。従って、排気用フード５２の開口部５２ｃを通過した矢印Ｂ方向の雨雪が機械室３内部の奥側まで飛翔することを防止することができる。なお、排気口カバー６に設けた排気用フード６２に当たった雨雪の雫が排気用フード６２の上向き開口部６２ｃを介して排気口カバー６の排気用穴６１から機械室３内部に入ることは否めないものの、排気口カバー６の板面に沿って流れ落ちて基台１ｅに設けた通気スリット１ｈ（図１の（ｂ）参照）を通して外部に放出されることから、機械室３内部に設置した冷凍機のコンデンシングユニット４の電気機器や、機械室３内部に設置された電装部品にまで雫が到達することはない。
【００３１】
前述したように、この実施の形態１に係る自動販売機によれば、本体キャビネット１の機械室３に冷凍機のコンデンシングユニット４が配設され、本体キャビネット１の背面における機械室３に対応する部位に排気口５０が形成され、板状の板面に複数の排気用穴５１，６１を有する排気口カバー５，６を前記排気口５０に設けてなる自動販売機において、前記排気口カバー５，６を少なくとも２組設け、２組の排気口カバー５，６を前後となる態様で互いに離隔して配設してなることにより、冷凍機の運転時に圧縮機、凝縮器から発生する熱を、それぞれの排気口カバー５，６に設けた排気用穴５１，６１を介して外部に放散する一方、機外に露出する一方の排気口カバー５の排気用穴５１から浸入した雨雪も他方の排気口カバー６により浸入を阻止されるので機械室３内部への雨雪の浸入を低減させることができるという効果を有する。
【００３２】
次に、本発明の実施の形態２の自動販売機について図６〜図８を参照しつつ説明する。図６は本発明の実施の形態２の自動販売機の背面斜視図、図７は図６の自動販売機の前後２組の排気口カバーを分解して示す排気口周辺の斜視図である。図８は前後に重ね合わせた２組の排気口カバーを背面側から見た背面図である。なお、図６及び図７において、図１〜図５に示した実施の形態１の自動販売機と同一の部材には同一の符号を付してその説明は省略する。
【００３３】
図６〜図８に示した実施の形態２の自動販売機が図１〜図５に示した実施の形態１の自動販売機と相違する点は、排気口５０に設けたところの、互いに前後に離隔して配された排気口カバー７，８である。それぞれの排気口カバー７，８の外形形状も実施の形態１の自動販売機における排気口カバー５，６と同一であり、排気口カバー７の下縁には下方に突出する３個の係合爪７ａ，７ａ，７ａが形成されると共に排気口カバー７の板面の左右両側の上部寄りにはねじ挿通孔７ｂ，７ｂが形成されている一方、排気口カバー８の左右両端には排気口カバー８の板面より一段高い段差を有する態様で外方に折り曲げて形成された取付片８２，８２が設けられている。これらの取付片８２，８２には、前記排気口カバー７の板面の左右両側の上部寄りに形成したねじ挿通孔７ｂ，７ｂと同様のねじ挿通孔８ｂ，８ｂが形成されている。
【００３４】
前記排気口カバー７，８の板面には複数の排気用穴７１，８１が形成されている。排気口カバー７，８に形成した排気用穴７１，８１は長穴として形成されている。排気口カバー７に形成した排気用穴７１は上下方向に１７段で左右方向に２列設けられ、排気口カバー８に形成した排気用穴８１は上下方向に１７段で左右方向に３列設けられている。また、排気口カバー７，８を本体キャビネット１に組付けた状態で、排気口カバー７，８に設けた排気用穴７１，８１は前後方向に重畳しないように互いの位置をずらして配置されている。すなわち、図８は前後に重ね合わせた排気口カバー７，８を背面側から見た背面図であり、この図８から排気口カバー７に設けた複数の排気用穴７１と排気口カバー８に設けた複数の排気用穴８１とが前後方向に重畳することなく互いの位置がずれていることが理解できる。
かかる構成の排気口カバー７，８も、実施の形態１の自動販売機の排気口カバー５，６と同様に、前後に互いに離隔するように配置される。そして、冷凍機の運転時に圧縮機、凝縮器から発生する熱は、排気口カバー８に設けた排気用穴８１から排気口カバー７に設けた排気用穴７１を通って外部に放散される。
【００３５】
その一方、この実施の形態２の自動販売機の排気口カバー７，８の排気用穴７１，８１には、実施の形態１の自動販売機の排気口カバー５，６の排気用穴５１，６１に設けた排気用フード５２，６２が設けられていないので、上方から降り注ぐ雨雪や暴風により雨雪が舞い上がった雨雪や豪雨により自動販売機の設置面から跳ね返った雨粒が排気口カバー７の排気用穴７１を通過することがある。しかしながら、排気口カバー７の排気用穴７１を通過した雨雪は排気口カバー８に設けた排気用穴８１が排気口カバー７の排気用穴７１と左右方向に位置をずらして設けられていることにより排気口カバー８によって機械室３内部への浸入が阻止される。従って、排気口カバー７の排気用穴７１を通過した雨雪が機械室３内部の奥側まで飛翔することを防止することができる。なお、排気口カバー８に当たった雨雪の雫が排気用穴８１から機械室３内部に入ることは否めないものの、排気口カバー８の板面に沿って流れ落ちて基台１ｅに設けた通気スリット１ｈを通して外部に放出されることから、機械室３内部に設置した冷凍機のコンデンシングユニット４の機器や電装部品にまで雫が到達することはない。
【００３６】
前述したように、この実施の形態２に係る自動販売機によれば、本体キャビネット１の機械室３内部に冷凍機のコンデンシングユニット４が配設され、本体キャビネット１の背面における機械室３に対応する部位に排気口５０が形成され、板状の板面に複数の排気用穴７１，８１を有する排気口カバー７，８を前記排気口５０に設けてなる自動販売機において、前記排気口カバー７，８を少なくとも２組設け、２組の排気口カバー７，８を前後となる態様で互いに離隔して配設してなることにより、冷凍機の運転時に圧縮機、凝縮器から発生する熱を、それぞれの排気口カバー７，８に設けた排気用穴７１，８１を介して外部に放散する一方、機外に露出する一方の排気口カバー７の排気用穴７１から浸入した雨雪も他方の排気口カバー８により浸入を阻止されるので機械室３内部への雨雪の浸入を低減させることができるという効果を有する。
【００３７】
なお、前記各実施の形態に係る自動販売機においては、背板１ｃが基台１ｅの左右に補強部材１ｆ，１ｇの上端までの短いものとしたものについて説明したが、背板１ｃが基台１ｅまで延在する長いものであって、当該背板１ｃに排気口を形成したものにも適用できるものである。この場合、排気口カバーの材料を、排気口を形成するために背板を切り抜いた切れ端を材料とすることにより、切れ端を廃棄処分することなく材料費の無駄を省くことができる。切れ端を排気口カバーとする場合、背板に排気口をプレス打ち抜き機により打ち抜く際、切れ端（排気口カバー）を背板の排気口の縁部に取り付けるために切れ端（排気口カバー）の上縁及び下縁（若しくは左右両縁）に形成する左右一対（若しくは上下一対）の凸状取付片を、左右非対称（上下非対称）に設け、切れ端（排気口カバー）を左右反転させて左右一対（若しくは上下一対）の凸状取付片を背板の排気口の縁部にねじ止めすればよい。
【００３８】
また、上記各実施の形態に係る自動販売機においては、排気口カバー５または排気口カバー７が背板１ｃと面一になるように配設したものについて説明したが、機械室３内部に２組の排気口カバーを互いに離隔して配設するスペースがない場合には、２組の排気口カバーのうちの少なくとも一方の排気口カバーを機外に配置させることもできるものである。この場合、機外に配置する一方の排気口カバーは一方が開口した薄い箱型に形成し、その底面に排気用穴を形成すればよい。従って、本発明は、実施の形態の自動販売機に限定されるものではない。
【符号の説明】
【００３９】
１…本体キャビネット、２…前面扉、３…機械室、４…コンデンシングユニット、５，６，７，８…排気口カバー、５０…排気口、５１，６１，７１，８１…排気用穴、５２，６２…排気用フード。
【図１】
2020105356.tif 000003
【図２】
2020105356.tif 000004
【図３】
2020105356.tif 000005
【図４】
2020105356.tif 000006
【図５】
2020105356.tif 000007
【図６】
2020105356.tif 000008
【図７】
2020105356.tif 000009
【図８】
2020105356.tif 000010
【図９】
2020105356.tif 000011
【国際調査報告】
2020105356.tif 000012
2020105356.tif 000013
2020105356.tif 000014
2020105356.tif 000015